(57)【要約】【課題】  ベンド管でのケーブルの摩擦抵抗を低減することにより、長距離の地中埋設管内に損傷なくケーブルを敷設することができるケーブル敷設方法等を提供する。【解決手段】  管路の内側に切欠部が設けられているとともに、その切欠部がケーシングによって覆われている円弧状のベンド管１００が地中に埋設される。次に、切欠部の外部であってケーシング内に、ベンド管１００の円弧形状に沿って、ケーブル引込用治具２００が挿入される。ケーブル引込用治具２００は、互いに平行に設けられた複数のローラ２１０を有しており、ベンド管１００の円弧形状に沿う形状に変化することができる。その後、ケーブル３００は、ワイヤ等を介して引っ張られるが、前述の複数のローラ２１０の回転によって、ベンド管１００内を滑らかに搬送される。【選択図】        図２
2006345678.tif 000002
【特許請求の範囲】
【請求項１】
円弧状に曲がっており、その円弧の内側にその円弧に沿って切り欠かれた切欠部を有する管路と、前記切欠部を覆うとともに前記円弧に沿って延びるように、前記管路に取り付けられた円弧状のケーシングとを含むベンド管を地中に埋設する工程と、
所定の間隔でかつ互いに平行に設けられた複数のローラを有し、前記円弧に沿う形状に変化可能なケーブル引込用治具を、前記円弧状のケーシング内に挿入する工程と、
前記複数のローラにケーブルを接触させながら、前記ベンド管内の前記ケーブルを引っ張る工程とを備えた、ケーブル敷設方法。
【請求項２】
前記ケーシングの内側にはガイド部が設けられており、
前記ケーブル引込用治具には前記ガイド部に案内される被ガイド部が設けられている、請求項１に記載のケーブル敷設方法。
【請求項３】
前記ローラは、前記ケーブル引込用治具が前記ケーシング内に挿入されたときに、前記切欠部の近傍に位置し、
前記ベンド管の横断面において、前記管路の前記切欠部以外の部分は、円形の一部を構成し、前記ローラの外周は、前記円形の他の一部を構成する、請求項１に記載のケーブル敷設方法。
【請求項４】
円弧状に曲がっており、その円弧の内側にその円弧に沿って切り欠かれた切欠部を有する管路と、
前記切欠部を覆うとともに前記円弧に沿って延びるように、前記管路に取り付けられた円弧状のケーシングとを備えた、ベンド管。
【請求項５】
前記ケーシングの内面から内側に向かって突出する突出部を備えた、請求項４に記載のベンド管。
【請求項６】
所定の間隔でかつ互いに平行に設けられた複数のローラを有し、円弧状のベンド管に沿って前記複数のローラが並んで配置される形状に変化可能な、ケーブル引込用治具。
【請求項７】
それぞれが前記ローラを回転可能に支持する複数の回転軸をさらに備え、
前記複数の回転軸のうち互いに隣接する任意の２つの回転軸は、その一方端側が第１の支持部材によって回転可能に支持され、その他方端側が第２の支持部材によって回転可能に支持され、
前記複数の回転軸のそれぞれが、前記第１支持部材および前記第２の支持部材とそれらに隣接する他の前記第１の支持部材および他の前記第２の支持部材との間でヒンジとして機能する、請求項６に記載のケーブル引込用治具。
【発明の詳細な説明】
【技術分野】
【０００１】
本発明は、ケーブルを地中埋設配管内に敷設するためのケーブル敷設方法、それに用いられるベンド管、およびケーブル引込用治具に関するものである。
【背景技術】
【０００２】
従来から、図１３および図１４に示すように、たとえば、電柱６００と電柱７００との間に高速道路６５０または鉄道７５０が存在し、架空配電線を敷設することができない場合がある。このような場合には、電柱６００と電柱７００との間にケーブル３００を敷設するために地中埋設配管が用いられている。地中埋設配管は、電柱６００と電柱７００とを繋ぐように地中に設けられている。より具体的には、地中埋設配管は、電柱６００の地中埋設部の近傍に設けられたベンド管８００と、ベンド管８００に接続された直線状配管９００と、直線状配管９００に接続されたマンホール１０００と、マンホール１０００に接続された直線状配管１１００と、直線状配管１１００に接続され、電柱７００の地中埋設部の近傍に設けられたベンド管１２００とからなっている。
【０００３】
従来においては、前述の地中埋設配管内にケーブル３００を敷設する場合には、次のような方法が用いられる。まず、ケーブルドラム１３００に巻かれたケーブル３００の一方端にワイヤ１４００を取り付ける。次に、ワイヤ１４００の他方端をベンド管８００からマンホール１０００に向かって挿入する。その後、図１３に示すように、マンホール１０００内に設けられた滑車１５００などの治具を用いて、ウインチ１７００でワイヤ１４００を引っ張る。次に、他のワイヤ１４００の他方端をベンド管１２００からマンホール１０００に向かって挿入する。前述と同様にして、図１４に示すように、マンホール１０００内に設けられた滑車１５００などの治具を用いて、ウインチ１７００でワイヤ１４００を引っ張る。その後、図１３および図１４に示す２本のケーブル３００同士が電気的に接続されて、電柱６００の位置から電柱７００の位置までケーブル３００の敷設が完了する。
【特許文献１】実開昭６４−２５８１２号公報
【特許文献２】実開昭６１−６８６１７号公報
【特許文献３】特開昭６１−３４５０２号公報
【特許文献４】特開昭５７−４０３０８号公報
【特許文献５】特開平７−３１０２５号公報
【特許文献６】特開平１１−２９９０３４号公報
【特許文献７】特開２０００−１８４５７０号公報
【特許文献８】特開平１１−２９９０３３号公報
【発明の開示】
【発明が解決しようとする課題】
【０００４】
しかしながら、このような地中埋設配管を用いる地中配電線工法を用いれば、ケーブル３００と地中埋設配管との間に次のような力が働く。
【０００５】
図１５に示すように、図１３および図１４のＡで示す円弧形状のベンド管８００および１２００のそれぞれ内のケーブル３００には、ウインチ１７００でワイヤ１４００を引っ張るときに生じる力Ｔ１が働く。力Ｔ１でケーブル３００が引っ張られると、ベンド管８００および１２００には、ケーブル３００からベンド管１００の内周側の内面へ力Ｔ２（いわゆつ側圧）が働く。つまり、図１６に示すように、ベンド管８００および１２００の内周側の内面にケーブル３００が押し付けられてしまう。そのため、地中埋設配管の全長が長くなり、力Ｔ１が大きくなると、力Ｔ２も大きくなり、シースの破断によってケーブル３００が損傷してしまう。その結果、図１３および図１４に示すように、地中埋設配管の途中にマンホール１０００を設け、マンホール１０００内で直線状配管９００内のケーブル３００と直線状配管１１００内のケーブル３００とを接続し、１ケーブル当たりの長さを短くすることによって、ケーブル３００の地中埋設配管内の引き込み時にケーブル３００に生じる力を低減する工法を採用することが必要になる。
【０００６】
そこで、マンホール１０００を設けずに、地中埋設配管内においてケーブル３００をスムーズに敷設するために、ローラを有するケーブル引込用治具を用いることが従来から試みられているが、ベンド管１００内でのケーブル３００とベンド管１００との接触抵抗を低減させるケーブル引込用治具は存在しなかった。したがって、長距離の地中埋設配管内にケーブル３００を敷設する場合には、ベンド管８００および１２００とケーブル３００との接触によってケーブル３００が損傷するおそれが残存している。
【０００７】
本発明は、上述の問題に鑑み考え出されたものであり、その目的は、ベンド管とケーブルとの間の接触抵抗を低減することにより、損傷することなく長距離の地中埋設配管内にケーブルを敷設することが可能なケーブル敷設方法、それに用いられるベンド管およびケーブル引込用治具を提供することである。
【課題を解決するための手段】
【０００８】
本発明のケーブル敷設方法においては、まず、円弧状に曲がっており、その円弧の内側にその円弧に沿って切り欠かれた切欠部を有する管路と、切欠部を覆うとともに円弧に沿って延びるように、管路に取り付けられた円弧状のケーシングとを含むベンド管が地中に埋設される。次に、所定の間隔でかつ互いに平行に設けられた複数のローラを有し、円弧に沿う形状に変化可能なケーブル引込用治具が、円弧状のケーシング内に挿入される。その後、複数のローラにケーブルが接触しながら、ベンド管内のケーブルが引っ張られる。
【０００９】
上記の方法によれば、ケーブルは、ベンド管に接触することなく、ローラの回転によって滑らかに搬送されるため、ケーブルと地中埋設管との間の接触抵抗が減少する。その結果、ケーブルを損傷させることなく、長距離の地中埋設管内にケーブルを敷設することが可能になる。
【００１０】
また、本発明のケーブル敷設方法においては、ケーシングの内側にはガイド部が設けられており、ケーブル引込用治具にはガイド部に案内される被ガイド部が設けられていることが望ましい。この方法によれば、ケーブル引込用治具のケーシング内での位置決めが容易になる。
【００１１】
また、ローラは、ケーブル引込用治具がケーシング内に挿入されたときに、切欠部の近傍に位置し、ベンド管の横断面において、管路の切欠部以外の部分は、円形の一部を構成し、ローラの外周は、円形の他の一部を構成することが望ましい。この方法によれば、ベンド管およびケーブル引込用治具の組み合わせの横断面がほぼ円形になり、その横断面においては凹凸が極めて小さいため、ケーブルの損傷がより確実に防止される。
【００１２】
本発明のベンド管は、円弧状に曲がっており、その円弧の内側にその円弧に沿って切り欠かれた切欠部を有する管路と、切欠部を覆うとともに円弧に沿って延びるように、管路に取り付けられた円弧状のケーシングとを備えている。このベンド管は、上記のケーブル敷設方法に用いることができる。
【００１３】
また、ベンド管は、ケーシングの内面から内側に向かって突出する突出部を備えていれば、突出部をガイド部として用いることができる。
【００１４】
本発明のケーブル引込用治具は、所定の間隔でかつ互いに平行に設けられた複数のローラを有し、円弧状のベンド管に沿って複数のローラが並んで配置される形状に変化可能である。このケーブル引込用治具は、上記のケーブル敷設方法に用いることができる。
【００１５】
また、本発明のケーブル引込用治具は、それぞれがローラを回転可能に支持する複数の回転軸をさらに備えており、複数の回転軸のうち互いに隣接する任意の２つの回転軸は、その一方端側が第１の支持部材によって回転可能に支持され、その他方端側が第２の支持部材によって回転可能に支持され、複数の回転軸のそれぞれが、第１支持部材および第２の支持部材とそれらに隣接する他の第１の支持部材および他の第２の支持部材との間でヒンジとして機能することが望ましい。
【００１６】
上記の構成によれば、ローラの回転軸がヒンジの機能をも有するため、ケーブル引込用治具の部品点数を低減することができるとともに、ヒンジの近傍でのケーブルとケーブル引込用治具との接触抵抗によるケーブルの損傷を防止することができる。
【発明を実施するための最良の形態】
【００１７】
以下、図面を参照して、本発明の実施の形態のケーブル敷設方法、それに用いられるベンド管、およびケーブル引込用治具を説明する。
【００１８】
まず、図１〜図３を用いて、本発明の実施の形態のケーブル敷設方法を説明する。本実施の形態のケーブル敷設方法は、基本的には、図１３〜図１５を用いて説明した従来のケーブル敷設方法と同様である。したがって、以下においては、従来のケーブル敷設方法と異なる点を主に説明する。
【００１９】
本実施の形態のケーブル敷設方法においては、まず、円弧状のベンド管１００を地中に埋設する。次に、図１に示すように、ベンド管１００の内周側の円弧形状に沿って、ローラ２１０を有するケーブル引込用治具２００を、ベンド管１００の切欠部を覆うケーシング１２０内に挿入する。次に、図２および図３に示すように、ベンド管１００内のケーブル引込用治具２００の外周側にケーブル３００を挿入する。このとき、ベンド管１００内においては、ケーブル３００とローラ２１０とが接触するが、ローラ２１０の回転によってケーブル３００が滑らかに搬送される。したがって、本実施の形態のケーブル敷設方法によれば、ケーブル３００は、ベンド管１００内において搬送されるときに損傷することが防止される。
【００２０】
次に、前述の本実施の形態のケーブル敷設方法に用いられるベンド管１００およびケーブル引込用治具２００を具体的に説明する。
【００２１】
本実施の形態のベンド管１００は、その横断面が円形の一部を構成し、その縦断面が１／４円弧状である管路１１０を有している。管路１１０は、図４および図５に示すように、その内側に円弧状に沿って切欠かれた切欠部１１０ａを有している。また、管路１１０の切欠部１１０ａを覆うとともに円弧形状に沿って延びるように、管路１１０の外側にケーシング１２０が取り付けられている。ケーシング１２０は、切欠部１１０ａに対応するような円弧状に形状になっている。
【００２２】
また、ケーブル引込用治具２００は、図６および図７に示すように、支持プレート２２０ａ，２２０ｂ，２２０ｃ，２２０ｄ等の複数枚の支持部材を有している。また、ケーブル引込用治具２００は、その一方端が互いに重なり合う支持プレート２２０ａおよび２２０ｂの双方を貫通する複数の回転軸シャフト２０５を有している。また、複数の回転軸シャフト２０５の他方端は、その一方端が互いに重なり合う支持プレート２２０ｃおよび２２０ｄの双方を貫通している。したがって、回転軸シャフト２０５は、互いに隣接する支持プレート２２０ａ，２２０ｂの間および互いに隣接する支持プレート２２０ｃ，２２０ｄの間のそれぞれでヒンジとして機能する。そのため、ケーブル引込用治具は、ヒンジとして機能する別個の部品を必要としてないため、その部品点数が低減されている。
【００２３】
さらに、ケーブル引込用治具２００は、回転軸シャフト２０５の周囲にはローラ２１０が設けられている。また、ケーブル引込用治具２００は、その一方端が支持プレート２２０ａを貫通し、その他方端が支持プレート２２０ｃを貫通し、互いに対向する支持プレート２２０ａと支持プレート２２０ｃとの間隔を一定に保持する複数の支持部材２３０を有している。また、ケーブル引込用治具２００は、その一方端が支持プレート２２０ｂを貫通し、その他方端が支持プレート２２０ｄを貫通し、互いに対向する支持プレート２２０ｂと支持プレート２２０ｄとの間隔を一定に保持する複数の支持部材２３０を有している。
【００２４】
また、ケーブル引込用治具２００の一端の支持部材２２０ａおよび２２０ｃには、プレート部２４０がボルトおよびナット２６０によって取り付けられており、プレート部２４０の先端には取手部２５０が設けられている。ケーブル３００の地中埋設管内への引き込み時には、作業員は、取手部２５０を握持した状態で、ケーブル引込用治具２００をベンド管１００内に挿入し、ケーブル３００を敷設した後には、ケーブル引込用治具２００を取り出すことができるため、工具として繰り返し使用することができる。
【００２５】
また、図８には、ケーブル引込用治具２００がベンド管１００内に挿入された状態が示されている。図８に示すように、ベンド管１００は、通常のベンド管１００と同様の円周状の断面において切欠部１１０ａを有する管路１１０と、管路１１０の左右の外周面に固定され、上方に延びる側板１１１および１１２と、側板１１１および１１２の上端を接続する天板１１３とを有している。また、側板１１１と管路１１０とは補強部材１１４および１１５によって接続されて補強されている。さらに、側板１１２には、内側に突出するレール１１６が設けられており、側板１１２には内側に突出するレール１１７が設けられている。レール１１６および１１７のそれぞれは、側面から見ると、ベンド管１００の円弧状に沿った円弧状をしている。レール１１６および１１７には、前述の支持部材２３０の両先端が載置され、ケーブル引込用治具２００は、レール１１６および１１７に沿って案内される。つまり、レール１１６および１１７は、ケーブル引込用治具２００を案内するガイド部として機能し、支持部材２３０のレール１１６および１１７に係止される両端部は、被ガイド部として機能する。なお、図中において、参照符号Ｗで示される部分はベンド管１００の各部材同士の溶接部である。
【００２６】
また、ケーブル引込用治具２００は、前述のように、支持プレート２２０ａ，２２０ｂ，２２０ｃ，２２０ｄを１つの回転軸シャフト２０５が貫通しており、そのまわりにローラ２１０が設けられている。また、ローラ２１０と回転軸シャフト２０５との間にはベアリング２０６および２０７が設けられている。したがって、ローラ２１０は容易に回転軸シャフト２０５まわりに回転することができる。また、支持部材２３０は、支持プレート２２０ａ，２２０ｂ，２２０ｃ，２２０ｄの内側に位置する大径円柱部２３０ａと、大径円柱部２３０ａの両底面のそれぞれから突出する２つの小径円柱部２３０ｂとを有している。そのため、２つの小径円柱部２０３ｂが対応する支持プレート２２０ａ，２２０ｂ，２２０ｃ，２２０ｄに設けられた貫通孔に挿入され、大径円柱部２３０ａに支持プレート２２０ａ，２２０ｂ，２２０ｃ，２２０ｄが係止され、大径円柱部２３０ａの長さによって、支持プレート２２０ａと支持プレート２２０ｃとの間隔および支持プレート２２０ｂと支持プレート２２０ｄとの間隔のそれぞれが規定される。
【００２７】
また、図９には、前述のベンド管１００内にケーブル引込用治具２００が挿入され後、ケーブル３００がケーブル引込用治具２００によって搬送される状態が具体的に示されている。なお、図９においては、ベンド管１００は、ベンド管１００の上側部分に被せられるキャップ１３０が示されおり、また、ベンド管の下側部分の径が少し小さくなった接続部分１４０には直線状配管４００が嵌め込まれている。
【００２８】
また、本実施の形態において、ケーブル引込用治具２００がベンド管１００の円弧形状に沿って屈曲するように、支持プレート２２０ａまたは２２０ｃと支持プレート２２０ｂまたは２２０ｄとの間のヒンジとして、ローラ２１０の回転軸シャフト２０５を用いているのは次のような理由からである。
【００２９】
図１０に示すように、支持プレート２２０ａまたは２２０ｃと支持プレート２２０ｂまたは２２０ｄとのヒンジとして、ローラ２１０の回転軸シャフト２０５以外の比較的径が小さな支持部材２３０のような部材を用いると、ケーブル３００の先端とケーブル引込用金具３５０との間に設けられた幅ｔの隙間に支持部材２３０が嵌り込んでしまい、スムーズなケーブル３００の搬送ができなくなるおそれがある。
【００３０】
一方、図１１に示す本実施の形態のケーブル引込用治具２００のように、支持フレート２２０ａまたは２００ｃと支持フレート２２０ｂまたは２００ｄとの間のヒンジとして、ローラ２１０の回転軸シャフト２０５が用いられれば、ケーブル３００とケーブル引込用金具３５０との間の幅ｔの隙間にはローラ２１０が嵌り込むが、ローラ２１０の径が大きいため、スムーズにケーブル３００が搬送される。
【００３１】
したがって、本実施の形態では、支持プレート２２０ａまたは２００ｃと支持プレート２２０ｂまたは２００ｄとの間のヒンジとして、ローラ２１０の回転軸シャフト２０５を用いている。
【００３２】
また、図１２に示す通り、本実施の形態のケーブル引込用治具２００を用いたベンド管１００内でのケーブル３００の搬送方法によれば、通常のベンド管１００内においてケーブル３００を引っ張る方法よりも、ケーブル３００に生じる張力の増加が極めて小さくなっていることが分かる。そのため、ベンド管１００の内周側の内面をケーブル３００が押す力Ｔ２（側圧）も低減される。したがって、本実施の形態のケーブル敷設方法によれば、長距離の地中埋設配管であってもケーブルを損傷させることなく搬送することができる。
【００３３】
なお、今回開示された実施の形態はすべての点で例示であって制限的なものではないと考えられるべきである。本発明の範囲は上記した説明ではなく特許請求の範囲によって示され特許請求の範囲と均等の意味および範囲内ですべての変更が含まれていることが意図される。
【図面の簡単な説明】
【００３４】
【図１】ベンド管内にケーブル引込用治具が挿入される様子を示す図である。
【図２】ベンド管内にケーブル引込用治具が挿入された後ケーブルが搬送される様子を示す図である。
【図３】図２のＩＩＩ−ＩＩＩ線断面図である。
【図４】実施の形態のベンド管の一方の側面図である。
【図５】実施の形態のベンド管の他方の側面図である。
【図６】ケーブル引込用治具の斜視図である。
【図７】実施の形態のケーブル引込用治具の平面図である。
【図８】実施の形態のケーブル引込用治具がベンド管内に挿入された状態を具体的に説明するための図２のＩＩＩ−ＩＩＩ線断面図である。
【図９】実施の形態のベンド管にケーブル搬送用治具が挿入された後でケーブルが搬送されている様子を具体的に示す図である。
【図１０】実施の形態のケーブル引込用治具とは異なるケーブル引込用治具の欠点を説明するための図である。
【図１１】実施の形態のケーブル引込用治具が他の形態のケーブル引込用治具に比べて有利なものであることを説明するための図である。
【図１２】実施の形態のケーブル敷設方法および従来のケーブル敷設方法のケーブル引込張力の比較をするための図である。
【図１３】従来の地中埋設配管を用いたケーブルの敷設方法を説明するための図である。
【図１４】従来の地中埋設配管を用いたケーブルの敷設方法を説明するための図である。
【図１５】従来のケーブル敷設方法の欠点を説明するための図である。
【図１６】従来のケーブル敷設方法の欠点を説明するための図である。
【符号の説明】
【００３５】
１００  ベンド管、２００  ケーブル引込用治具、３００  ケーブル、１１０  管路、１１０ａ  切欠部、１２０  ケーシング、１３０  キャップ、１４０  接続部分、２０５  回転軸、２１０  ローラ、２２０ａ，２２０ｂ，２２０ｃ，２２０ｄ  支持プレート、２３０  支持部材、２４０  プレート部、２５０  取手部、１１１，１１２  側板、１１３  天板、１１４，１１５  補強部材、１１６，１１７  レール、２０６，２０７  ベアリング。
【図１】
2006345678.tif 000003
【図２】
2006345678.tif 000004
【図３】
2006345678.tif 000005
【図４】
2006345678.tif 000006
【図５】
2006345678.tif 000007
【図６】
2006345678.tif 000008
【図７】
2006345678.tif 000009
【図８】
2006345678.tif 000010
【図９】
2006345678.tif 000011
【図１０】
2006345678.tif 000012
【図１１】
2006345678.tif 000013
【図１２】
2006345678.tif 000014
【図１３】
2006345678.tif 000015
【図１４】
2006345678.tif 000016
【図１５】
2006345678.tif 000017
【図１６】
2006345678.tif 000018